(57)【要約】【課題】簡単な操作を行うだけでコンテンツの送受信を可能にする。【解決手段】本発明によるデータ送信システムは、情報端末同士がネットワークを介して繋がったデータ送信システムであって、メモリカード２１０が挿入される第１の端末（他端末２００）と、他端末２００にデータを送信する第２の端末（情報端末１００）を含む。情報端末１００は、自端末用のＩＤと、メモリカード２１０のＩＤと、他端末２００に送信するデータと、を関連づけた情報を記憶する記憶手段１０１と、他端末２００にメモリカードが挿入されたことを検知する検知手段１０２と、検知されたメモリカードが自端末用のＩＤと対応するか否か判断する判断手段１０３と、対応すると判断された場合には関連づけられているデータを他端末２００に送信する送信手段１０４と、を備える。【選択図】図１
2010074236.tif 000002
【特許請求の範囲】
【請求項１】
ネットワークで繋がれた他の端末に自端末に対応するメモリカードが挿入されると、前記メモリカードに関連づけられたデータを送信することを特徴とする情報端末。
【請求項２】
自端末用のＩＤと、メモリカードのＩＤと、ネットワークで繋がれた他の端末に送信するデータと、を関連づけた情報を記憶する記憶手段と、
前記他端末にメモリカードが挿入されたことを検知する検知手段と、
検知された前記メモリカードが前記自端末用のＩＤと対応するか否か判断する判断手段と、
対応すると判断された場合には関連づけられている前記データを前記他端末に送信する送信手段と、
を備えたことを特徴とする、情報端末。
【請求項３】
前記他端末にＩＤの振られていないメモリカードが挿入されると、前記メモリカードのＩＤを決定し、前記記憶手段に前記自端末用のＩＤと決定したメモリカードのＩＤとを関連づけた情報を記憶させるＩＤ決定手段をさらに備えたことを特徴とする、請求項２記載の情報端末。
【請求項４】
前記送信手段は、前記決定したメモリカードのＩＤを前記他端末に送信し、
前記他端末は、前記決定したメモリカードのＩＤを前記メモリカードに書き込むことを特徴とする、請求項３記載の情報端末。
【請求項５】
前記自端末用のＩＤは、自身に挿入されるメモリカードのＩＤであることを特徴とする、請求項２から４のいずれか１項記載の情報端末。
【請求項６】
前記データは、コンテンツ、及び、該コンテンツをスライドショーや動画等の再生をするための制御情報であることを特徴とする、請求項２から５のいずれか１項記載の情報端末。
【請求項７】
情報端末同士がネットワークを介して繋がったデータ送信システムであって、
メモリカードが挿入される第１の端末と、該第１の端末にデータを送信する第２の端末を含み、
前記第２の端末は、
自端末用のＩＤと、前記第１の端末に挿入されるメモリカードのＩＤと、前記第１の端末に送信するデータと、を関連づけた情報を記憶する記憶手段と、
前記第１の端末にメモリカードが挿入されたことを検知する検知手段と、
検知された前記メモリカードが前記自端末用のＩＤと対応するか否か判断する判断手段と、
対応すると判断された場合には関連づけられている前記データを前記第１の端末に送信する送信手段と、
を備えたことを特徴とする、データ送信システム。
【請求項８】
自端末用のＩＤと、メモリカードのＩＤと、ネットワークで繋がれた他の端末に送信するデータと、を関連づけた情報を記憶する記憶手段を備えるコンピュータを、
前記他端末にメモリカードが挿入されたことを検知する検知手段と、
検知された前記メモリカードが前記自端末用のＩＤと対応するか否か判断する判断手段と、
対応すると判断された場合には関連づけられている前記データを前記他端末に送信する送信手段と、
として機能させることを特徴とする、プログラム。
【発明の詳細な説明】
【技術分野】
【０００１】
本発明は、情報端末、データ送信システム及びプログラムに関し、特に、ユーザ操作性の改善に関する。
【背景技術】
【０００２】
本発明に関連する技術として、特許文献１に記載のものを挙げる。特許文献１は、インターフェースにメモリカードを挿した状態で特定の操作をすると、メモリカードに格納されたスクリプトファイルとコンテンツを探し、スクリプトに従ってコンテンツを再生する装置について、記載している。
【特許文献１】特開２００７−０６０３３５号公報
【発明の開示】
【発明が解決しようとする課題】
【０００３】
近年、デジタルデバイドの解消が情報技術（ＩＴ）分野での課題とされ、その一つの解決策として、簡易な操作でコンテンツの利用を享受できるような仕組みの提供が求められている。
【０００４】
画像や動画などのコンテンツデータを、例えば遠隔地等、離れたところに送る方法として、電子メールにコンテンツを添付して送るということが従来よく行われている。しかしながら、この方法では、受け手の側でＩＴ機器の操作に不慣れであったり、そもそも電子メールに対応するＩＴ機器を持っていなかったりして、誰もがコンテンツを簡単に利用できるとは言えなかった。
【０００５】
そこで本発明は、上記実情に鑑みて、簡単な操作を行うだけでコンテンツの送受信を可能にすることを目的とする。
【課題を解決するための手段】
【０００６】
上記目的を達成するために本発明は、以下に記載する構成を特徴とする。
【０００７】
すなわち、ネットワークで繋がれた他の端末に自端末に対応するメモリカードが挿入されると、前記メモリカードに関連づけられたデータを送信することを特徴とする。
【０００８】
本発明に係る情報端末は、自端末用のＩＤと、メモリカードのＩＤと、ネットワークで繋がれた他の端末に送信するデータと、を関連づけた情報を記憶する記憶手段と、前記他端末にメモリカードが挿入されたことを検知する検知手段と、検知された前記メモリカードが前記自端末用のＩＤと対応するか否か判断する判断手段と、対応すると判断された場合には関連づけられている前記データを前記他端末に送信する送信手段と、を備えたことを特徴とする。
【０００９】
本発明に係るデータ送信システムは、情報端末同士がネットワークを介して繋がったデータ送信システムであって、メモリカードが挿入される第１の端末と、該第１の端末にデータを送信する第２の端末を含み、前記第２の端末は、自端末用のＩＤと、前記第１の端末に挿入されるメモリカードのＩＤと、前記第１の端末に送信するデータと、を関連づけた情報を記憶する記憶手段と、前記第１の端末にメモリカードが挿入されたことを検知する検知手段と、検知された前記メモリカードが前記自端末用のＩＤと対応するか否か判断する判断手段と、対応すると判断された場合には関連づけられている前記データを前記第１の端末に送信する送信手段と、を備えたことを特徴とする。
【００１０】
本発明に係るプログラムは、自端末用のＩＤと、メモリカードのＩＤと、ネットワークで繋がれた他の端末に送信するデータと、を関連づけた情報を記憶する記憶手段を備えるコンピュータを、前記他端末にメモリカードが挿入されたことを検知する検知手段と、検知された前記メモリカードが前記自端末用のＩＤと対応するか否か判断する判断手段と、対応すると判断された場合には関連づけられている前記データを前記他端末に送信する送信手段と、として機能させることを特徴とする。
【発明の効果】
【００１１】
本発明によれば、簡単な操作を行うだけでコンテンツの送受信が可能となる。
【発明を実施するための最良の形態】
【００１２】
以下、本発明の好適な実施の形態について図面を参照して説明する。
図１は、本実施形態に係る全体システムの構成例を示すブロック図である。
図１に示すように、本実施形態に係る全体システムは、情報端末同士がＶＰＮ（Virtual Private Network、なお、仮想的に相手先をＵＰｎＰ（Universal Plug and Play）を利用して認識される場合にはこれに限らない）で繋がったデータ送信システムである。以下、各端末について説明する。
【００１３】
情報端末１００は、図示のように、記憶手段１０１と、検知手段１０２と、判断手段１０３と、送信手段１０４と、ＩＤ決定手段１０５と、を備える構成である。以下、各手段の機能について説明する。
【００１４】
記憶手段１０１は、情報端末１００用のＩＤ（以下、「自端末用のＩＤ」という）と、他端末２００に挿入されるメモリカード２１０を他と識別するためのＩＤと、他端末２００に送信するデータと、を関連づけた情報を記憶する。図２に、記憶手段１０１に記憶する情報を説明するための図を示す。
【００１５】
記憶手段１０１は、「自端末用のＩＤ」と関連づけられた情報として、例えば、図２（ａ）に示すようなテーブルを記憶する。この場合、あるメモリカードＩＤに対して、そのメモリカードが挿入された端末に送信するデータを関連づけている。なお、図２（ａ）中、送信するデータＡとＢは同じでも構わない。
【００１６】
送信するデータについて説明する。本実施形態において、送信するデータは、例えば、図２（ｂ）に示すような、コンテンツと、そのコンテンツをどのように送信先の端末で再生させるかというコマンド等を含んだ制御情報とする。例を挙げると、コンテンツは、例えば、静止画像を複数枚含むものとし、制御情報は、これらをスライドショーするためのものとする。なお、図示のように、動画や音声データ等を含んでいてもよい。この場合制御情報は、スライドショーの際に、音声データを再生しながら画像データを順次再生するというようなものでもよい。
【００１７】
自端末用のＩＤについて説明する。自端末用のＩＤは、本実施形態に係るデータ送信においてデータの送信元を識別するための識別情報である。情報端末１００自体の識別情報であってもよいが、これに限定されない。本実施形態では、情報端末１００自身に挿入されるメモリカード１１０のＩＤであることとする。情報端末１００は、メモリカード１１０が挿入されると、その中からＩＤを読み取って、自端末用のＩＤとして管理する。自端末用のＩＤを自身に挿入されるメモリカードのＩＤとして構成すると、送信側のユーザはメモリカードさえ持ち歩けばどの情報処理装置であれ本実施形態のデータ送信を実行することが可能になり、本実施形態に係るデータ送信サービスの可搬性が高まる効果がある。
【００１８】
図１に戻って、検知手段１０２は、他端末２００にメモリカード２１０が挿入されたことを検知する機能を有する。本実施形態においては、情報端末１００と他端末２００間にＶＰＮとＤＬＮＡ（Digital Living Network Alliance）が確立しており、検知手段１０２は、ＵＰｎＰ（Universal Plug and Play）を利用することによって、他端末２００にメモリカード２１０が挿入されたというイベントを検知する。また、検知手段１０２は、メモリカード２１０にＩＤが振られているか否かを判断し、振られている場合には後段の処理を判断手段１０３に託し、振られていない場合にはＩＤ決定手段１０５に託す。
【００１９】
判断手段１０３は、記憶手段１０１に記憶された自端末用のＩＤと関連づけられた情報を参照し、挿入されたメモリカード２１０のＩＤが自端末用のＩＤと対応するものか否かを判断する。対応する場合には、挿入されたメモリカード２１０のＩＤに対応する送信するデータがどれかという情報を送信手段１０４に送る。
【００２０】
送信手段１０４は、判断手段１０３の判断を基に、メモリカードのＩＤに関連づけられているデータを、他端末２００に送信する。また、送信手段１０４は、ＩＤ決定手段１０５が決定したメモリカードのＩＤも他端末２００に送信する。
【００２１】
ＩＤ決定手段１０５は、検知手段１０２により他端末２００にＩＤの振られていないメモリカードが挿入されると、そのメモリカードのＩＤを決定する。また、ＩＤ決定手段１０５は、決定したメモリカードのＩＤを自端末用のＩＤに関連づけ、関連づけの情報を記憶手段１０１に記憶させる。このとき、送信するデータの情報も併せて関連づけてもよい。また、ＩＤ決定手段１０５は、決定したメモリカードのＩＤを送信手段１０４を介して他端末２００に送り、メモリカード２１０に書き込ませる。
【００２２】
なお、情報端末１００は、ハードウェアとしては、例えば、パーソナルコンピュータ等の情報処理装置を用いることができ、そのようなハードウェアを利用するプログラムとハードウェアの協働によって、図中に記載の各手段として機能させることができる。
【００２３】
他端末２００は、通信機能とメモリカード２１０を読み書きできる機能を備えていればよく、例えば、パーソナルコンピュータ、フォトフレーム、ネットワーク対応テレビなどを用いることができる。また、他端末２００は、ＩＤの振られていないメモリカードが挿入された場合に、情報端末１００の送信手段１０４から、ＩＤ決定手段１０５が決定したＩＤを受信すると、そのＩＤを当該メモリカードに書き込む。一方で、ＩＤの振られているメモリカードが挿入された場合に、メモリカードが挿入されたというイベントをメモリカードのＩＤと共にＵＰｎＰを利用してＶＰＮで繋がった他の端末に通知し、情報端末１００からデータの送信を受ける。
【００２４】
他端末２００に送信されたデータは、メモリカード２１０に記憶させることとしてもよいし、他端末２００が内蔵する図示しない記憶媒体に記憶させることとしてもよい。なお、他端末２００は、好適には、情報端末１００から受信したデータを、当該データに含まれる制御情報に基づいてコンテンツを自動で再生する手段を有することが好ましい。受信したデータを自動で再生するよう構成することで、他端末２００のユーザが例えば情報機器の操作に不慣れな場合であっても、コンテンツを簡単に利用できるという効果がある。
【００２５】
なお、メモリカード１１０，２１０は、着脱可能なコンピュータ読み取り可能な記録媒体であればよく、カードの形をしていることに限定しない。例えば、スティック状でもよい。以下、本実施形態全体の処理の流れを説明する。
【００２６】
図３は、本実施形態全体の処理の流れを示すタイミングチャート図である。
図３において、各端末は、本実施形態に係るデータ送信の前処理として、図３のステップＳ１０１からステップＳ１０８の各処理を行う。まずこの前処理について説明し、次に、本実施形態に係るデータ送信（ステップＳ１０９〜１１４）について説明する。
【００２７】
まず、情報端末１００は、自端末用のＩＤを決定する（ステップＳ１０１）。本実施形態においては、上述のように、挿入されたメモリカード１１０の中からＩＤを読み取って、自端末用のＩＤとする。メモリカードのＩＤを利用しないで自端末でＩＤを生成してメモリカード１１０に書き込んでもよい。
【００２８】
次に、情報端末１００は、他端末２００に送信するデータの制御情報を作成する（ステップＳ１０２）。なお、ステップＳ１０２は、ステップＳ１０１より前に行ってもよいし、同時でもよい。
【００２９】
次に、情報端末１００と他端末２００の間にＶＰＮを確立させる処理が行われる（ステップＳ１０３）。後段の処理（ステップＳ１０４〜１１４）は、ＶＰＮが成立している状態で行われる。
【００３０】
他端末２００のユーザによる操作等でメモリカード（ＩＤ未決定のもの）２１０が挿入されると（ステップＳ１０４）、ＵＰｎＰを利用して検知手段１０２がメモリカード２１０を検知する（ステップＳ１０５）。このメモリカード２１０にはＩＤがまだ振られていないため、ＩＤ決定手段１０５がＩＤを決定し（ステップＳ１０６）、決定したＩＤは他端末２００に送られる。
【００３１】
他端末２００は、送信されてきたＩＤをメモリカード２１０に書き込む（ステップＳ１０７）。一方で、情報端末１００では、記憶手段１０１が決定したメモリカードのＩＤと自端末用のＩＤとの関連づけを記憶する（ステップＳ１０８）。なお、ステップＳ１０６とステップＳ１０８は、同時でもよい。
【００３２】
本実施形態に係るデータ送信は、次のような手順で行われる。
他端末２００のユーザによる操作等でメモリカード（ＩＤ決定済みのもの）２１０が挿入されると（ステップＳ１０９）、ＵＰｎＰを利用して検知手段１０２がメモリカード２１０を検知する（ステップＳ１１０）。次に、判断手段１０３が検知したメモリカード２１０のＩＤが自端末用のＩＤと対応するか（関連づけられているか）否かを判断し（ステップＳ１１１）、対応する場合、そのメモリカード２１０のＩＤに関連づけられているデータを他端末２００に送信する（ステップＳ１１２）。
【００３３】
他端末２００では送信されてきたデータを受信し（ステップＳ１１３）、このデータをメモリカード２１０や図示しない記憶手段に書き込んだり、データに含まれる制御情報に基づいてコンテンツを再生したりする（ステップＳ１１４）。
【００３４】
なお、送信するデータに更新があったような場合は、受信する側のユーザがもう一度メモリカード２１０を挿抜するなどの操作を行い、ステップＳ１０９〜１１４の処理をもう一度行わせるとよい。
【００３５】
以上に説明した本実施形態によれば、受信側の端末でメモリカードを挿入するだけの簡単な操作でデータを送信することができるため、簡単な操作を行うだけでコンテンツの送受信が可能となる。また、送信データに制御情報を含ませておき、受信側でこれを再生するよう構成すれば、他端末２００のユーザが例えば情報機器の操作に不慣れな場合であっても、コンテンツを簡単に利用できる。
【００３６】
また、自端末用のＩＤを自身に挿入されるメモリカードのＩＤとして構成すると、送信側のユーザはメモリカードさえ持ち歩けばどの情報処理装置であれ本実施形態のデータ送信を実行することが可能になり、本実施形態に係るデータ送信サービスの可搬性が高まる。
【００３７】
以上、本発明の好適な実施の形態について説明したが、本発明はこれに限定されるものではなく、要旨を逸脱しない範囲内で種々の変形実施が可能である。
【図面の簡単な説明】
【００３８】
【図１】本発明による実施形態に係る全体システムの構成例を示すブロック図である。
【図２】本発明による実施形態に係る記憶手段に記憶する情報を説明するための図である。
【図３】本発明による実施形態全体の処理の流れを示すタイミングチャート図である。
【符号の説明】
【００３９】
１００    情報端末
１０１    記憶手段
１０２    検知手段
１０３    判断手段
１０４    送信手段
１０５    ＩＤ決定手段
１１０    メモリカード
２００    他端末
２１０    メモリカード
【図１】
2010074236.tif 000003
【図２】
2010074236.tif 000004
【図３】
2010074236.tif 000005